【手続補正書】
【提出日】平成25年6月3日(2013.6.3)
【手続補正１】
【補正対象書類名】明細書
【補正対象項目名】発明の名称
【補正方法】変更
【補正の内容】
【発明の名称】インクジェット記録装置及び記録方法
【手続補正２】
【補正対象書類名】明細書
【補正対象項目名】０００１
【補正方法】変更
【補正の内容】
【０００１】
本発明はインクジェット記録装置及び記録方法に関し、特に、記録媒体の搬送方向に交差する方向に複数の吐出口が配列された記録ヘッドを有し、記録ヘッドから液体を吐出して記録を行うインクジェット記録装置及び記録方法に関する。
【手続補正３】
【補正対象書類名】明細書
【補正対象項目名】０００８
【補正方法】変更
【補正の内容】
【０００８】
そこで、本発明は上記の事情に鑑み、複数の種類のインクを吐出するラインヘッド形式のインクジェット記録装置において、インクの種類によって異なる吐出特性の変化が生じることが抑えられたインクジェット記録装置及び記録方法を提供することを目的とする。
【手続補正４】
【補正対象書類名】明細書
【補正対象項目名】０００９
【補正方法】変更
【補正の内容】
【０００９】
本発明のインクジェット記録装置は、記録媒体の搬送方向に交差する方向に配列された複数の吐出口からなる吐出口列を備え、前記吐出口からインクを吐出することで記録媒体に記録を行う記録ヘッドとして、少なくとも、第１の色のインクを吐出するための第１の記録ヘッドと前記第１の色のインクと異なる第２の色のインクを吐出するための第２の記録ヘッドとを用い、前記記録媒体を前記搬送方向に搬送させながら前記吐出口列と前記第１の記録ヘッドの前記吐出口列と前記第２の記録ヘッドの前記吐出口列との前記交差する方向における所定範囲に配置された吐出口により記録を行う記録装置であって、前記第１および第２の記録ヘッドのそれぞれについてのインクの吐出数を取得する吐出数取得手段と、前記吐出数取得手段によって取得された前記第１前記記録ヘッドに対応する前記吐出数が前記第１の記録ヘッドに対応して設定されている閾値を超えた場合および前記第２記録ヘッドに対応する前記吐出数が前記第２の記録ヘッドに対応して設定されている閾値を超えた場合の少なくとも一つの場合に、前記交差する方向における前記所定範囲を変更する変更手段と、を有することを特徴とする。
【手続補正５】
【補正対象書類名】明細書
【補正対象項目名】００１０
【補正方法】変更
【補正の内容】
【００１０】
また、本発明の記録方法は、記録媒体の搬送方向に交差する方向に配列された複数の吐出口からなる吐出口列を備え、前記吐出口からインクを吐出することで記録媒体に記録を行う記録ヘッドとして、少なくとも、第１の色のインクを吐出するための第１の記録ヘッドと前記第１の色のインクと異なる第２の色のインクを吐出するための第２の記録ヘッドとを用い、前記記録媒体を前記搬送方向に搬送させながら前記吐出口列と前記第１の記録ヘッドの前記吐出口列と前記第２の記録ヘッドの前記吐出口列との前記交差する方向における所定範囲に配置された吐出口により記録を行う記録装置による記録方法であって、前記第１および第２の記録ヘッドのそれぞれについてのインクの吐出数を取得する吐出数取得工程と、前記吐出数取得工程で取得された前記第１前記記録ヘッドに対応する前記吐出数が前記第１の記録ヘッドに対応して設定されている閾値を超えた場合および前記第２記録ヘッドに対応する前記吐出数が前記第２の記録ヘッドに対応して設定されている閾値を超えた場合の少なくとも一つの場合に、前記交差する方向における前記所定範囲を変更する変更工程と、を有することを特徴とする。
【手続補正６】
【補正対象書類名】特許請求の範囲
【補正対象項目名】全文
【補正方法】変更
【補正の内容】
【特許請求の範囲】
【請求項１】
記録媒体の搬送方向に交差する方向に配列された複数の吐出口からなる吐出口列を備え、前記吐出口からインクを吐出することで記録媒体に記録を行う記録ヘッドとして、少なくとも、第１の色のインクを吐出するための第１の記録ヘッドと前記第１の色のインクと異なる第２の色のインクを吐出するための第２の記録ヘッドとを用い、前記記録媒体を前記搬送方向に搬送させながら前記吐出口列と前記第１の記録ヘッドの前記吐出口列と前記第２の記録ヘッドの前記吐出口列との前記交差する方向における所定範囲に配置された吐出口により記録を行うインクジェット記録装置であって、
前記第１および第２の記録ヘッドのそれぞれについてのインクの吐出数を取得する吐出数取得手段と、
前記吐出数取得手段によって取得された前記第１の記録ヘッドに対応する前記吐出数が前記第１の記録ヘッドに対応して設定されている閾値を超えた場合および前記第２記録ヘッドに対応する前記吐出数が前記第２の記録ヘッドに対応して設定されている閾値を超えた場合の少なくとも一つの場合に、前記交差する方向における前記所定範囲を変更する変更手段と、
を有することを特徴とするインクジェット記録装置。
【請求項２】
前記変更手段は、前記第１の記録ヘッドと前記第２の記録ヘッドとを一緒に前記搬送方向と交差する方向に移動させることによって前記所定範囲を変更することを特徴とする請求項１に記載のインクジェット記録装置。
【請求項３】
前記交差する方向において、前記吐出口列の長さより小さい長さの前記記録媒体に記録を行い、前記所定範囲は前記記録媒体の前記交差する方向における長さに相当する範囲であることを特徴とする請求項１または２に記載のインクジェット記録装置。
【請求項４】
所定の吐出数に対して前記第１の記録ヘッドの前記吐出口からのインクの吐出量が変化する度合いが前記第２の記録ヘッドの前記吐出口についての前記度合より大きいことを特徴とする請求項１乃至３のいずれか１項に記載のインクジェット記録装置。
【請求項５】
前記度合いは、所定の吐出数に対して前記吐出口からのインクの吐出量が小さくなる度合いであることを特徴とする請求項４に記載のインクジェット記録装置。
【請求項６】
前記記録ヘッドは、前記記録ヘッドが備える記録素子が発生する熱エネルギーを前記インクに伝達させることにより前記吐出口からインクを吐出することを特徴とする請求項１乃至５のいずれか１項に記載のインクジェット記録装置。
【請求項７】
前記第１、第２の記録ヘッドの前記吐出数それぞれが前記第１、第２の記録ヘッドそれぞれに対応して設定されている閾値を超えたか否かを判定するための判定手段を有し、前記変更手段は前記判定手段の判定に基づいて前記変更を行い、
前記判定手段は、前記第１の記録ヘッドについての前記吐出数が前記第１の記録ヘッドに対応して設定されている閾値を超えたか否かを判定し、前記第１の記録ヘッドについての前記吐出数が前記第１の記録ヘッドに対応して設定されている閾値を超えていないと判定された場合に、前記第２の記録ヘッドに対応する前記吐出数が前記第２の記録ヘッドに対応して設定されている閾値を超えているか否かを判定することを特徴とする請求項４乃至６のいずれか１項に記載のインクジェット記録装置。
【請求項８】
前記変更手段は、前記閾値を超えた前記記録ヘッドについて、前記記録媒体の搬送される領域に対応した領域に形成された吐出口の累積吐出数が、最も少なくなるように前記所定範囲を変更することを特徴とする請求項１乃至７のいずれか１項に記載のインクジェット記録装置。
【請求項９】
前記記録媒体の前記搬送方向に交差する方向の長さを検知する記録媒体長さ検出手段を有し、
前記吐出数取得手段によって取得される記録ヘッドから吐出されるインクの吐出数は、前記記録媒体長さ検出手段によって検出された記録媒体の前記搬送方向と交差する方向の長さに基づく記録媒体の搬送される領域に対応した対応領域に形成された吐出口からのインクの吐出数の、前記対応領域での平均値または最大値であることを特徴とする請求項１乃至８のいずれか１項に記載のインクジェット記録装置。
【請求項１０】
前記第１の記録ヘッドに対応して設定されている閾値は、前記第２の記録ヘッドに対応して設定されている閾値より小さいことを特徴とする請求項４乃至９のいずれか１項に記載のインクジェット記録装置。
【請求項１１】
前記吐出数取得手段は、前記第１、第２の記録ヘッドのそれぞれから吐出されたインクの吐出数をカウントし、カウントされた前記第１、第２の記録ヘッドそれぞれに対応するインクの吐出数それぞれに、前記第１の記録ヘッド、第２の記録ヘッドごとに設定されている係数を乗じた数を前記吐出数として取得し、前記第１の記録ヘッドに対応する前記係数は前記題２の記録ヘッドに対応する前記係数より大きいことを特徴とする請求項４乃至１０のいずれか１項に記載のインクジェット記録装置。
【請求項１２】
記録媒体の搬送方向に交差する方向に配列された複数の吐出口からなる吐出口列を備え、前記吐出口からインクを吐出することで記録媒体に記録を行う記録ヘッドとして、少なくとも、第１の色のインクを吐出するための第１の記録ヘッドと前記第１の色のインクと異なる第２の色のインクを吐出するための第２の記録ヘッドとを用い、前記記録媒体を前記搬送方向に搬送させながら前記吐出口列と前記第１の記録ヘッドの前記吐出口列と前記第２の記録ヘッドの前記吐出口列との前記交差する方向における所定範囲に配置された吐出口により記録を行う記録装置による記録方法であって、
前記第１および第２の記録ヘッドのそれぞれについてのインクの吐出数を取得する吐出数取得工程と、
前記吐出数取得工程で取得された前記第１前記記録ヘッドに対応する前記吐出数が前記第１の記録ヘッドに対応して設定されている閾値を超えた場合および前記第２記録ヘッドに対応する前記吐出数が前記第２の記録ヘッドに対応して設定されている閾値を超えた場合の少なくとも一つの場合に、前記交差する方向における前記所定範囲を変更する変更工程と、
を有することを特徴とする記録方法。
【請求項１３】
前記変更工程では、前記第１の記録ヘッドと前記第２の記録ヘッドとを一緒に前記搬送方向と交差する方向に移動させることによって前記所定範囲を変更することを特徴とする請求項１２に記載の記録方法。
【請求項１４】
前記交差する方向において、前記吐出口列の長さより小さい長さの前記記録媒体に記録を行い、前記所定範囲は前記記録媒体の前記交差する方向における長さに相当する範囲
であることを特徴とする請求項１２または１３に記載の記録方法。
【請求項１５】
所定の吐出数に対して前記第１の記録ヘッドの前記吐出口からのインクの吐出量が変化する度合いが前記第２の記録ヘッドの前記吐出口についての前記度合より大きいことを特徴とする請求項１２乃至１４のいずれか１項に記載の記録方法。
【請求項１６】
前記度合いは、所定の吐出数に対して前記吐出口からのインクの吐出量が小さくなる度合いであることを特徴とする請求項１５に記載の記録方法。
【請求項１７】
前記記録ヘッドは、前記記録ヘッドが備える記録素子が発生する熱エネルギーを前記インクに伝達させることにより前記吐出口からインクを吐出することを特徴とする請求項１２乃至１６のいずれか１項に記載の記録方法。
【請求項１８】
前記第１、第２の記録ヘッドの前記吐出数それぞれが前記第１、第２の記録ヘッドそれぞれに対応して設定されている閾値を超えたか否かを判定するための判定工程を有し、前記変更工程では前記判定工程での判定に基づいて前記変更を行い、
前記判定工程では、前記第１の記録ヘッドについての前記吐出数が前記第１の記録ヘッドに対応して設定されている閾値を超えたか否かを判定し、前記第１の記録ヘッドについての前記吐出数が前記第１の記録ヘッドに対応して設定されている閾値を超えていないと判定された場合に、前記第２の記録ヘッドに対応する前記吐出数が前記第２の記録ヘッドに対応して設定されている閾値を超えているか否かを判定することを特徴とする請求項１５乃至１７のいずれか１項に記載の記録方法。
【請求項１９】
前記変更工程では、前記閾値を超えた前記記録ヘッドについて、前記記録媒体の搬送される領域に対応した領域に形成された吐出口の累積吐出数が、最も少なくなるように前記所定範囲を変更することを特徴とする請求項１２乃至１８のいずれか１項に記載の記録方法。
【請求項２０】
前記記録媒体の前記搬送方向に交差する方向の長さを検知する記録媒体長さ検出工程を有し、
前記吐出数取得工程で取得される記録ヘッドから吐出されるインクの吐出数は、前記記録媒体長さ検出手段によって検出された記録媒体の前記搬送方向と交差する方向の長さに基づく記録媒体の搬送される領域に対応した対応領域に形成された吐出口からのインクの吐出数の、前記対応領域での平均値または最大値であることを特徴とする請求項１２乃至１９のいずれか１項に記載の記録方法。
【請求項２１】
前記第１の記録ヘッドに対応して設定されている閾値は、前記第２の記録ヘッドに対応して設定されている閾値より小さいことを特徴とする請求項１５乃至２０のいずれか１項に記載の記録方法。
【請求項２２】
前記吐出数取得工程では、前記第１、第２の記録ヘッドのそれぞれから吐出されたインクの吐出数をカウントし、カウントされた前記第１、第２の記録ヘッドそれぞれに対応するインクの吐出数それぞれに、前記第１の記録ヘッド、第２の記録ヘッドごとに設定されている係数を乗じた数を前記吐出数として取得し、前記第１の記録ヘッドに対応する前記係数は前記題２の記録ヘッドに対応する前記係数より大きいことを特徴とする請求項１５乃至２１のいずれか１項に記載の記録方法。